(57)【要約】【課題】顧客から提供される設計図面のイメージデータから、テキストデータを拾い起こすことが可能となり、電気工事費用の算出業務を効率化することが可能となる積算業務支援システムを提供する。【解決手段】本発明は、イメージデータよりなる設計図面から、電気器具に係るデータを抽出する積算業務支援システムであって、予め設定された読み取り対象枠の寸法が参照されることで、読み取り対象文字であるか否かを判断する判断工程（ステップＳ２０２）と、前記判断工程で読み取り対象文字であると判断されると、対象枠内の文字情報を読み取る読み取り工程（ステップＳ２０３）と、前記読み取り工程で読み取られた文字情報を文字認識技術に基づいてテキストデータに変換する変換工程（ステップＳ２０４）と、前記変換工程で変換されたテキストデータをスプレッドシートソフトウエアに書き込む書き込み工程（ステップＳ２０５）と、が実行されることを特徴とする。【選択図】      図４
2020047160.tif 000002
【特許請求の範囲】
【請求項１】
イメージデータよりなる設計図面から、電気器具に係るデータを抽出する積算業務支援システムであって、
予め設定された読み取り対象枠の寸法が参照されることで、読み取り対象文字であるか否かを判断する判断工程と、
前記判断工程で読み取り対象文字であると判断されると、対象枠内の文字情報を読み取る読み取り工程と、
前記読み取り工程で読み取られた文字情報を文字認識技術に基づいてテキストデータに変換する変換工程と、
前記変換工程で変換されたテキストデータをスプレッドシートソフトウエアに書き込む書き込み工程と、が実行されることを特徴とする積算業務支援システム。
【請求項２】
前記イメージデータには、姿図と平面図とが含まれており、
姿図と平面図のそれぞれについて、前記判断工程と前記読み取り工程と前記変換工程と前記書き込み工程とを実行し、姿図抽出データと平面図抽出データの双方のデータを取得するデータ取得工程と、
前記取得工程で取得された姿図抽出データと平面図抽出データとを突き合わせる突合工程と、がさらに実行されることを特徴とする請求項１に記載の積算業務支援システム。
【請求項３】
前記電気器具が照明器具であることを特徴とする請求項１又は請求項２に記載の積算業務支援システム。
【請求項４】
イメージデータよりなる設計図面から、電気器具に係るデータを抽出する処理をコンピューターに実行させる積算業務支援プログラムであって、
予め設定された読み取り対象枠の寸法が参照されることで、読み取り対象文字であるか否かを判断する判断工程と、
前記判断工程で読み取り対象文字であると判断されると、対象枠内の文字情報を読み取る読み取り工程と、
前記読み取り工程で読み取られた文字情報を文字認識技術に基づいてテキストデータに変換する変換工程と、
前記変換工程で変換されたテキストデータをスプレッドシートソフトウエアに書き込む書き込み工程と、をコンピューターに実行させることを特徴とする積算業務支援プログラム。
【請求項５】
前記イメージデータには、姿図と平面図とが含まれており、
姿図と平面図のそれぞれについて、前記判断工程と前記読み取り工程と前記変換工程と前記書き込み工程とを実行し、姿図抽出データと平面図抽出データの双方のデータを取得するデータ取得工程と、
前記取得工程で取得された姿図抽出データと平面図抽出データとを突き合わせる突合工程と、をさらにコンピューターに実行させることを特徴とする請求項４に記載の積算業務支援プログラム。
【請求項６】
前記電気器具が照明器具であることを特徴とする請求項４又は請求項５に記載の積算業務支援プログラム。
【発明の詳細な説明】
【技術分野】
【０００１】
本発明は、イメージデータの設計図面から、照明器具等の型番や個数などを自動的に拾い出すことで、積算業務の支援を行う積算業務支援システム及び積算業務支援プログラムに関する。
【背景技術】
【０００２】
従来、積算業務の支援を行うシステムが種々提案されてきた（例えば、特許文献１（特開２００６−１１３９４０号公報）参照。）
【特許文献１】特開２００６−１１３９４０号公報
【発明の概要】
【発明が解決しようとする課題】
【０００３】
発明者らは、顧客から提供される建物の設計図面から、照明器具の型番や個数などを抽出し（拾い出し）、これらを積算することで、電気工事費用を算出する業務を行っている。ところで、顧客から提供される前記設計図面は、ＣＡＤデータ等によるものではなく、イメージデータであることが特徴となっている。これは、ＣＡＤデータ等を顧客側から受領してしまうと、万が一誤って改変してしまう可能性も生じてしまうからであり、このようなことを防止するためにイメージデータの設計図面を顧客から受領するようにしている。そこで、従来は、電気工事費用の算出業務においては、イメージデータに基づいた照明器具の拾い出しを行わなければならず、このような拾い出し作業は実質的に人手により行わなければならず、非常に業務効率が悪い、という問題があった。
【課題を解決するための手段】
【０００４】
このような課題を解決するために、本発明に係る積算業務支援システムは、イメージデータよりなる設計図面から、電気器具に係るデータを抽出する積算業務支援システムであって、予め設定された読み取り対象枠の寸法が参照されることで、読み取り対象文字であるか否かを判断する判断工程と、前記判断工程で読み取り対象文字であると判断されると、対象枠内の文字情報を読み取る読み取り工程と、前記読み取り工程で読み取られた文字情報を文字認識技術に基づいてテキストデータに変換する変換工程と、前記変換工程で変換されたテキストデータをスプレッドシートソフトウエアに書き込む書き込み工程と、が実行されることを特徴とする。
【０００５】
また、本発明に係る積算業務支援システムは、前記イメージデータには、姿図と平面図とが含まれており、姿図と平面図のそれぞれについて、前記判断工程と前記読み取り工程と前記変換工程と前記書き込み工程とを実行し、姿図抽出データと平面図抽出データの双方のデータを取得するデータ取得工程と、前記取得工程で取得された姿図抽出データと平面図抽出データとを突き合わせる突合工程と、がさらに実行されることを特徴とする。
【０００６】
また、本発明に係る積算業務支援システムは、前記電気器具が照明器具であることを特徴とする。
【０００７】
また、本発明に係る積算業務支援プログラムは、イメージデータよりなる設計図面から、電気器具に係るデータを抽出する処理をコンピューターに実行させる積算業務支援プログラムであって、予め設定された読み取り対象枠の寸法が参照されることで、読み取り対象文字であるか否かを判断する判断工程と、前記判断工程で読み取り対象文字であると判断されると、対象枠内の文字情報を読み取る読み取り工程と、前記読み取り工程で読み取られた文字情報を文字認識技術に基づいてテキストデータに変換する変換工程と、前記変換工程で変換されたテキストデータをスプレッドシートソフトウエアに書き込む書き込み工程と、をコンピューターに実行させることを特徴とする。
【０００８】
また、本発明に係る積算業務支援プログラムは、前記イメージデータには、姿図と平面図とが含まれており、姿図と平面図のそれぞれについて、前記判断工程と前記読み取り工程と前記変換工程と前記書き込み工程とを実行し、姿図抽出データと平面図抽出データの双方のデータを取得するデータ取得工程と、前記取得工程で取得された姿図抽出データと平面図抽出データとを突き合わせる突合工程と、をさらにコンピューターに実行させることを特徴とする。
【０００９】
また、本発明に係る積算業務支援プログラムは、前記電気器具が照明器具であることを特徴とする。
【発明の効果】
【００１０】
本発明に係る積算業務支援システム及び積算業務支援プログラムは、予め設定された読み取り対象枠の寸法が参照されることで、読み取り対象文字であるか否かを判断し、読み取った文字情報を文字認識技術に基づいてテキストデータに変換するので、このような本発明に係る積算業務支援システム及び積算業務支援プログラムによれば、顧客から提供される設計図面のイメージデータから、テキストデータを拾い起こすことが可能となり、電気工事費用の算出業務を効率化することが可能となる。
【図面の簡単な説明】
【００１１】
【図１】本発明の実施形態に係る積算業務支援システム１を実行するコンピューターのシステム構成例を示す図である。
【図２】本発明の実施形態に係る積算業務支援システム１の姿図処理のための準備の手順を示す図である。
【図３】姿図における設定処理を測定・設定処理の一例を説明する。
【図４】本発明の実施形態に係る積算業務支援システム１における姿図からデータを抽出する処理のフローチャートを示す図である。
【図５】姿図全体のイメージデータ例を示す図である。
【図６】本発明の実施形態に係る積算業務支援システム１の平面図処理のための準備の手順を示す図である。
【図７】平面図のイメージデータ例を示す図である。
【図８】本発明の実施形態に係る積算業務支援システム１における平面図からデータを抽出する処理のフローチャートを示す図である。
【図９】本発明の実施形態に係る積算業務支援システム１におけるデータ突合処理のフローチャートを示す図である。
【発明を実施するための形態】
【００１２】
以下、本発明の実施の形態を図面を参照しつつ説明する。図１は本発明の実施形態に係る積算業務支援システムのプラグラムを実行させるコンピューターのシステム構成例を示す図である。
【００１３】
図１において、１０はシステムバス、１１はＣＰＵ（Ｃｅｎｔｒａｌ  Ｐｒｏｃｅｓｓｉｎｇ  Ｕｎｉｔ）、１２はＲＡＭ（Ｒａｎｄｏｍ  Ａｃｃｅｓｓ  Ｍｅｍｏｒｙ）、１３はＲＯＭ（Ｒｅａｄ  Ｏｎｌｙ  Ｍｅｍｏｒｙ）、１４は外部情報機器との通信を司る通信制御部、１５はキーボードコントローラなどの入力制御部、１６は出力制御部、１７は外部記憶装置制御部、１８はキーボード、ポインティングデバイス、マウスなどの入力機器からなる入力部、１９は印刷装置などの出力部、２０はＨＤＤ（Ｈａｒｄ  Ｄｉｓｋ  Ｄｒｉｖｅ）等の外部記憶装置、２１はグラフィック制御部、２２はディスプレイ装置をそれぞれ示している。
【００１４】
図１において、ＣＰＵ１１は、ＲＯＭ１３内のプログラム用ＲＯＭ、或いは、大容量の外部記憶装置２０に記憶されたプログラム等に応じて、外部機器と通信することでデータを検索・取得したり、また、図形、イメージ、文字、表等が混在した出力データの処理を実行したり、更に、外部記憶装置２０に格納されているデータベースの管理を実行したり、などといった演算処理を行うものである。
【００１５】
また、ＣＰＵ１１は、システムバス１０に接続される各デバイスを統括的に制御する。ＲＯＭ１３内のプログラム用ＲＯＭあるいは外部記憶装置２０には、ＣＰＵ１１の制御用の基本プログラムであるオペレーティングシステムプログラム（以下ＯＳ）等が記憶されている。また、ＲＯＭ１３あるいは外部記憶装置２０には出力データ処理等を行う際に使用される各種データが記憶されている。メインメモリーであるＲＡＭ１２は、ＣＰＵ１１の主メモリ、ワークエリア等として機能する。
【００１６】
入力制御部１５は、キーボードや不図示のポインティングデバイスからの入力部１８を制御する。また、出力制御部１６は、プリンタなどの出力部１９の出力制御を行う。
【００１７】
外部記憶装置制御部１７は、ブートプログラム、各種のアプリケーション、フォントデータ、ユーザーファイル、編集ファイル、プリンタドライバ等を記憶するＨＤＤ（Ｈａｒｄ  Ｄｉｓｋ  Ｄｒｉｖｅ）や、或いはソリッドステートドライブ（ＳＳＤ）等の外部記憶装置２０へのアクセスを制御する。本発明の積算業務支援システムを実現するシステムプログラムは、上記のような外部記憶装置２０に記憶されている。また、グラフィック制御部２１は、ディスプレイ装置２２に表示する情報を描画処理するための構成である。
【００１８】
また、通信制御部１４は、ネットワークを介して、外部機器と通信を制御するものであり、これによりシステムが必要とするデータを、インターネットやイントラネット上の外部機器が保有するデータベースから取得したり、外部機器に情報を送信したりすることができるように構成される。
【００１９】
また、外部記憶装置２０には、ＣＰＵ１１の制御プログラムであるオペレーティングシステムプログラム（以下ＯＳ）以外に、本発明の積算業務支援システム１をＣＰＵ１１上で動作させるシステムプログラム、及びこのシステムプログラムで用いるデータなどがインストールされ保存・記憶されている。また、本発明の外部記憶装置２０には、表計算処理を実行するＥｘｃｅｌ（商標）などのスプレッドシートソフトウエアがインストールされ、本発明の積算業務支援システム１と連動可能に動作するようにプログラムされている。
【００２０】
本発明の積算業務支援システム１を実現するシステムプログラムで利用されるデータとしては、基本的には外部記憶装置２０に保存されていることが想定されているが、場合によっては、これらのデータを、通信制御部１４を介してインターネットやイントラネット上の外部機器から取得するように構成することも可能である。また、本発明の積算業務支援システム１を実現するシステムプログラムで利用されるデータを、ＵＳＢメモリやＣＤ、ＤＶＤなどの各種メディアから取得するように構成することもできる。本発明に係る積算業務支援システムは、以上のように構成されるコンピューターでプログラムが実行されることで実現される。
【００２１】
以下、本実施形態では、照明器具の型番や個数などを設計図面から拾い上げ、テキストデータを抽出する例に基づいて説明を行うが、本発明に係る積算業務支援システム１が取り扱い得る電気器具が、照明器具に限定される訳ではない。また、設計図面のイメージデータは、姿図と平面図とからなり、これら双方の図面からテキストデータを抽出する例で、以下の説明を行うが、本発明で用い得るデータが、姿図と平面図とからなる組み合わせに限定されるものでもない。例えば、本発明は平面図と仕様表との組み合わせなども扱い得るものである。
【００２２】
発明者らは、顧客から提供される建物の設計図面から、照明器具の型番や個数などを抽出し（拾い出し）、これらを積算することで、電気工事費用を算出する業務を行っている。ここで、顧客から提供される前記設計図面は、ＣＡＤデータ等によるものではなく、イメージデータであり、従来の電気工事費用の算出業務においては、イメージデータに基づいた照明器具の拾い出しを行っており、実質的に人手による作業となっていた。
【００２３】
そこで、本発明に係る積算業務支援システム１においては、顧客から提供される設計図面のイメージデータから、電気工事費用の積算に必要なテキストデータを抽出しようとするものである。ここで、設計図面のうち姿図のデータ処理について説明する。姿図は、種別毎の照明器具の斜視図と共に、照明器具の型番や名称、仕様などが記載された図３や図５に示すものである。
【００２４】
このような姿図のイメージデータから、テキストデータを効率的に取得するための事前の準備について説明する。図２は本発明の実施形態に係る積算業務支援システム１の姿図処理のための準備の手順を示す図である。なお、積算業務支援システム１が動作するコンピューターには、姿図等のイメージデータは予め周知の方法によって、取り込まれているものとする。また、このような姿図処理のための事前準備は、人手によってコンピューター上で実行されるものである。
【００２５】
ここで、１種別の照明器具に関するイメージデータの最も広い枠を、グループ枠として定義する。図３の例の場合、１点鎖線で示すＡの枠がそれに相当する。積算業務支援システム１には、このような枠の大きさを自動的に測定する機能が設けられており、
ステップＳ１０１では、このようなグループ枠の矩形の大きさを測定し、この時得られた測定データが、積算業務支援システム１に設定される処理が実行される。
【００２６】
積算業務支援システム１が、グループ枠の矩形の大きさ測定する方法は、周知の画像処理のアルゴリズムを利用することにより実現可能である。
【００２７】
また、ステップＳ１０２では、グループ枠の中にある抽出対象枠情報が記載されている枠の矩形の大きさを測定し、この時得られた測定データが、積算業務支援システム１に設定される処理が実行される。図３の例の場合、このグループ枠の中にある抽出対象枠情報が記載されている枠は、２点鎖線で示すＢの枠が相当する。
【００２８】
姿図を扱うときには、このようなグループ枠・枠の矩形の大きさを、積算業務支援システム１に設定・登録しておくことによって、積算業務支援システム１は、枠の中の記載事項が着目する情報を取得できるものであるのか、或いは、枠には取得するべき情報が記載されていないのかを枠毎に判断するようにしている。
【００２９】
次に、以上のような事前準備を行った上で、積算業務支援システム１で姿図からテキストデータを抽出する処理について説明する。図４は本発明の実施形態に係る積算業務支援システム１における姿図からデータを抽出する処理のフローチャートを示す図である。また、図５は姿図全体のイメージデータ例を示す図である。なお、本フローチャートは枠毎の処理が進められていくが、便宜上左上隅の枠から図５の（１）→（２）→（３）・・・の順で処理されることをイメージされたい。
【００３０】
なお、本実施形態においては、図５の（１）→（２）→（３）・・・の順、すなわち、上から第１段目の左から右へ、続いて、第２段目の左から右へ・・・の順で処理がなされる例に基づいて説明を行っているが、このような処理順序は必ずしも必須ではない。例えば、左隅上の枠から下方向へ、続いて、左隅上の右隣の枠から下方向へ・・・の順で処理がなされるようにしてもよい。
【００３１】
ステップＳ２００で、姿図からデータを抽出する処理が開始されると、続いて、ステップＳ２０１に進み、姿図のイメージデータから枠と認識された１つの枠画像データが取得される。
【００３２】
続く、ステップＳ２０２では、上記ステップで取得された枠画像データが、図２の準備で予め  設定登録済み枠の寸法と一致するかが判定される。なお、ステップＳ２０２での判定は、ある程度の許容値内での一致も、一致とする判定とすることが好ましい。ステップＳ２０２の判定結果がＮＯであれば、ステップＳ２０７で次の枠画像データを取得して、再びステップＳ２０２の判定が行われるようにループする。
【００３３】
一方、ステップＳ２０２の判定結果がＹＥＳであれば、続いて、ステップＳ２０３に進み、グループ枠・対象枠内のデータの読み取りが実行される。引き続き、ステップＳ２０４では、対象枠内の読み取りデータを文字認識技術によりテキストデータに変換し、ステップＳ２０５では、  当該テキストデータをスプレッドシートソフトウエアに書き込み処理を実行する。ここで、スプレッドシートソフトウエアに書き込まれ保存されるデータは、姿図抽出データとして定義する。
【００３４】
ステップＳ２０６では、イメージデータ上の全ての枠画像データについて処理が完了したか否かが判定される。ステップＳ２０６の判定結果がＮＯであれば、ステップＳ２０７で次の枠画像データを取得して、再びステップＳ２０２の判定が行われるようにループする。
【００３５】
一方、ステップＳ２０６の判定結果がＹＥＳであれば、ステップＳ２０８に進み、姿図からのデータ抽出処理を終了する。
【００３６】
なお、本実施形態においては、最も広い枠であるグループ枠（Ａ）と、そのグループ枠の中にある、抽出対象枠情報が記載されている枠（Ｂ）とを定義して、これらに基づいて、枠（Ｂ）における情報を読み取る例に基づいて説明を行ったが、このように構成することは、処理速度の点では有利になるものの、必須の要件ではない。例えば、抽出対象枠情報が記載されている枠（Ｂ）のみの矩形の大きさを図２の手順で測定・設定しておき、全ての枠から、枠（Ｂ）の矩形の大きさと一致する枠を抽出して、抽出した枠内のデータを読み取るようにしてもよい。
【００３７】
次に平面図のイメージデータから、テキストデータを抽出する処理について説明する。平面図のイメージデータにおいても、テキストデータを効率的に取得するための事前の準備を行う。図６は本発明の実施形態に係る積算業務支援システム１の平面図処理のための準備の手順を示す図である。なお、積算業務支援システム１が動作するコンピューターには、平面図等のイメージデータは予め周知の方法によって、取り込まれているものとする。また、このような平面図処理のための事前準備は、人手によってコンピューター上で実行されるものである。
【００３８】
図６において、ステップＳ３０１では、平面図内の読み取り対象場所を指定する。図７は平面図のイメージデータ例を示す図であるが、この読み取り対象場所は、図７のＡ、Ｂ、Ｃで囲まれた場所である。
【００３９】
次に、ステップＳ３０２で指定された場所において、抽出対象枠情報が記載されている枠の矩形の大きさを測定し、この時得られた測定データが、積算業務支援システム１に設定される処理が実行される。
【００４０】
積算業務支援システム１が、枠の矩形の大きさ測定する方法は、周知の画像処理のアルゴリズムを利用することにより実現可能である。
【００４１】
また、ステップＳ３０２では、枠の中にある抽出対象枠情報が記載されている枠の矩形の大きさを測定し、この時得られた測定データが、積算業務支援システム１に設定される処理が実行される。図７の例の場合、抽出対象枠情報が記載されている枠は、図７のＡ、Ｂ、Ｃ、・・・の一点鎖線で囲まれた枠である。
【００４２】
平面図を扱うときには、このような枠の矩形の大きさを、積算業務支援システム１に設定・登録しておくことによって、積算業務支援システム１は、枠の中の記載事項が着目する情報を取得できるものであるのか、或いは、枠には取得するべき情報が記載されていないのかを枠毎に判断するようにしている。
【００４３】
次に、以上のような事前準備を行った上で、積算業務支援システム１で平面図からテキストデータを抽出する処理について説明する。図８は本発明の実施形態に係る積算業務支援システム１における平面図からデータを抽出する処理のフローチャートを示す図である。
【００４４】
なお、本フローチャートは枠毎の処理が進められていくが、便宜上左上隅の枠から図７のＡ→Ｂ→Ｃ・・・の順で処理されることをイメージされたい。
【００４５】
ステップＳ４００で、平面図からデータを抽出する処理が開始されると、続いて、ステップＳ４０１に進み、平面図のイメージデータにおける指定場所から枠と認識された１つの枠画像データが取得される。
【００４６】
続く、ステップＳ４０２では、上記ステップで取得された枠画像データが、図６の準備で予め  設定登録済み枠の寸法と一致するかが判定される。なお、ステップＳ４０２での判定は、ある程度の許容値内での一致も、一致とする判定とすることが好ましい。ステップＳ４０２の判定結果がＮＯであれば、ステップＳ４０７で次の枠画像データを取得して、再びステップＳ４０２の判定が行われるようにループする。
【００４７】
一方、ステップＳ４０２の判定結果がＹＥＳであれば、続いて、ステップＳ４０３に進み、対象枠内のデータの読み取りが実行される。引き続き、ステップＳ４０４では、対象枠内の読み取りデータを文字認識技術によりテキストデータに変換し、ステップＳ４０５では、  当該テキストデータをスプレッドシートソフトウエアに書き込み処理を実行する。ここで、スプレッドシートソフトウエアに書き込まれ保存されるデータは、平面図抽出データとして定義する。
【００４８】
ステップＳ４０６では、イメージデータ上の全ての枠画像データについて処理が完了したか否かが判定される。ステップＳ４０６の判定結果がＮＯであれば、ステップＳ４０７で次の枠画像データを取得して、再びステップＳ４０２の判定が行われるようにループする。
【００４９】
一方、ステップＳ４０６の判定結果がＹＥＳであれば、ステップＳ４０８に進み、平面図からのデータ抽出処理を終了する。
【００５０】
これまで説明したように、姿図、平面図はイメージデータであるところ、読み取りミスや、文字認識技術によるテキストデータへの変換ミスが発生することがある。そこで、本発明に係る積算業務支援システム１においては、姿図から抽出したテキストデータと、平面図から抽出したテキストデータとが一致することを確認できる構成としておくことが好ましい。このようなテキストデータの、突き合わせ処理を本明細書では、突合処理と定義する。
【００５１】
図９は本発明の実施形態に係る積算業務支援システム１におけるデータ突合処理のフローチャートを示す図である。
【００５２】
図９において、ステップＳ５００でデータ突合処理が開始されると、続いて、ステップＳ５０１に進み、スプレッドシートソフトウエアに記録されている姿図抽出データと、平面図抽出データとを比較する。
【００５３】
この比較の結果、ステップＳ５０２で全て一致と判断されると、ステップＳ５０３に進み、抽出処理が成功した旨の報知をディスプレイ装置２２などにより行う。一方、ステップＳ５０２での判断結果がＮＯであれば、ステップＳ５０４に進み、抽出処理が失敗した旨の報知をディスプレイ装置２２などにより行う。ステップＳ５０５で、データ突合処理を終了する。
【００５４】
以上のように、本発明に係る積算業務支援システム１は、予め設定された読み取り対象枠の寸法が参照されることで、読み取り対象文字であるか否かを判断し、読み取った文字情報を文字認識技術に基づいてテキストデータに変換するので、このような本発明に係る積算業務支援システム１によれば、顧客から提供される設計図面のイメージデータから、テキストデータを拾い出す（抽出する）ことが可能となり、電気工事費用の算出業務を効率化することが可能となる。
【符号の説明】
【００５５】
１・・・積算業務支援システム
１０・・・システムバス
１１・・・ＣＰＵ（Ｃｅｎｔｒａｌ  Ｐｒｏｃｅｓｓｉｎｇ  Ｕｎｉｔ）
１２・・・ＲＡＭ（Ｒａｎｄｏｍ  Ａｃｃｅｓｓ  Ｍｅｍｏｒｙ）
１３・・・ＲＯＭ（Ｒｅａｄ  Ｏｎｌｙ  Ｍｅｍｏｒｙ）
１４・・・通信制御部
１５・・・入力制御部
１６・・・出力制御部
１７・・・外部記憶装置制御部
１８・・・入力部
１９・・・出力部
２０・・・外部記憶装置
２１・・・グラフィック制御部
２２・・・ディスプレイ装置
【図１】
2020047160.tif 000003
【図２】
2020047160.tif 000004
【図３】
2020047160.tif 000005
【図４】
2020047160.tif 000006
【図５】
2020047160.tif 000007
【図６】
2020047160.tif 000008
【図７】
2020047160.tif 000009
【図８】
2020047160.tif 000010
【図９】
2020047160.tif 000011